【手続補正書】
【提出日】平成22年8月24日(2010.8.24)
【手続補正１】
【補正対象書類名】特許請求の範囲
【補正対象項目名】全文
【補正方法】変更
【補正の内容】
【特許請求の範囲】
【請求項１】
動画処理装置であって、
動画データを入力する動画データ入力手段と、
該動画データにおける重要シーンが記述された重要シーンデータを入力あるいは生成する重要シーンデータ入力／生成手段と、
該重要シーンデータ入力／生成手段により入力あるいは生成された該重要シーンデータに基づいて第一の再生パラメタを決定する中央処理装置と、
再生シーンを決定するための第二の再生パラメタを入力する第二再生パラメタ入力手段と、
該第二再生パラメタ入力手段により該第二の再生パラメタが入力された場合には、該中央処理装置により決定された第一の再生パラメタより該第二再生パラメタ入力手段により入力された第二の再生パラメタを優先的に使用して該動画データの再生シーンを再生するように制御することを特徴とする動画処理装置。
【請求項２】
上記中央処理装置は、
上記重要シーンデータにおける各重要シーンの時間を合計して重要シーンの総再生時間を算出することにより、第一の再生パラメタを決定することを特徴とする請求項１記載の動画処理装置。
【請求項３】
上記中央処理装置は、
上記動画データ全体の再生時間に対する上記重要シーンの総再生時間の割合を算出することにより、第一の再生パラメタを決定することを特徴とする請求項１記載の動画処理装置。
【請求項４】
請求項１〜３のいずれかに記載の動画処理装置であって、
前記第一再生パラメタ決定手段で決定した第一の再生パラメタの利用者への提示を指示する第一再生パラメタ提示手段を有することを特徴とする動画処理装置。
【請求項５】
請求項４に記載の動画処理装置であって、
前記第一再生パラメタ提示手段は、第一の再生パラメタとして、前記動画データに対する再生時間、あるいは前記動画データの全体の再生時間に対する割合、あるいは該動画データに対する再生時間と動画データの全体の再生時間に対する割合の両方の利用者への提示を指示することを特徴とする動画処理装置。
【請求項６】
請求項４に記載の動画処理装置であって、
前記第二再生パラメタ入力手段は、前記動画データに対する再生時間、あるいは前記動画データの全体の再生時間に対する割合を前記第一再生パラメタ決定手段から入力することを特徴とする動画処理装置。
【請求項７】
動画処理装置であって、
動画データを入力する動画データ入力部と、
該動画データにおける重要シーンが記述された重要シーンデータを特定する重要シーンデータ入力／生成部と、
上記重要シーンデータを保持する重要シーンデータ保持部と、
該重要シーンデータに基づいてデフォルトとなる第一の再生パラメタを決定する第一再生パラメタ決定部と、
再生シーンを決定するための第二の再生パラメタを入力する第二再生パラメタ入力部と、
該第二再生パラメタ入力部により該第二の再生パラメタが入力された場合には、該第一再生パラメタ決定部により決定された第一の再生パラメタより該第二再生パラメタ入力部により入力された第二の再生パラメタを優先的に使用して該動画データの再生シーンを再生するように制御する制御部と、
前記第一再生パラメタ決定手段で決定した第一の再生パラメタを利用者に提示させる第一再生パラメタ提示部を有し、
前記第一の再生パラメタは前記重要シーンの再生時間を示す情報であることを特徴とする動画処理装置。
【請求項８】
前記第二の再生パラメタとして、前記重要シーンの再生時間を設定することを特徴とする請求項７記載の動画処理装置。
【請求項９】
請求項７または８に記載の動画処理装置であって、
前記制御部は、前記第二再生パラメタ入力部により該第二の再生パラメタが入力された場合において、前記第二再生パラメタ入力部で入力した第二のパラメタの値が、前記第一再生パラメタ決定手段で決定した第一のパラメタの値と異なる場合には、前記重要シーンデータに記述されている各重要シーンの前、あるいは、後ろ、あるいは前後を延ばして再生シーンの再生を行うように制御することを特徴とする動画処理装置。
【請求項１０】
請求項７または８に記載の動画処理装置であって、
前記制御部は、前記第二再生パラメタ入力部により該第二の再生パラメタが入力された場合において、前記第二再生パラメタ入力部で入力した第二のパラメタの値が、前記第一再生パラメタ決定手段で決定した第一のパラメタの値と異なる場合には、前記重要シーンデータに記述されている各重要シーンの前、あるいは、後ろ、あるいは前後をカットして再生シーンの再生を行うように制御することを特徴とする動画処理装置。
【請求項１１】
動画処理装置であって、
動画データを入力する動画データ入力部と、
該動画データにおける重要シーンが記述された重要シーンデータを特定する重要シーンデータ入力／生成部と、
上記重要シーンデータを保持する重要シーンデータ保持部と、
該重要シーンデータに基づいて第一の再生パラメタを決定する第一再生パラメタ決定部と、
再生シーンを決定するための第二の再生パラメタを入力する第二再生パラメタ入力部と、
該第二再生パラメタ入力部により該第二の再生パラメタが入力された場合には、該第一再生パラメタ決定部により決定された第一の再生パラメタより該第二再生パラメタ入力部により入力された第二の再生パラメタを優先的に使用して該動画データの再生シーンを再生するように制御する制御部と、
前記第一再生パラメタ決定部で決定した第一の再生パラメタを利用者に提示させる第一再生パラメタ提示部を有し、
前記第一の再生パラメタは再生すべき前記重要シーンの動画データの全体の再生時間に対する割合を示す情報であることを特徴とする動画処理装置。
【請求項１２】
前記第二の再生パラメタとして、再生すべき前記重要シーンの動画データの全体の再生時間に対する割合を設定することを特徴とする請求項１１記載の動画処理装置。
【請求項１３】
請求項１１または１２に記載の動画処理装置であって、
前記制御部は、前記第二再生パラメタ入力部により該第二の再生パラメタが入力された場合において、前記第二再生パラメタ入力部で入力した第二のパラメタの値が、前記第一再生パラメタ決定手段で決定した第一のパラメタの値と異なる場合には、前記重要シーンデータに記述されている各重要シーンの前、あるいは、後ろ、あるいは前後を延ばして再生シーンの再生を行うように制御することを特徴とする動画処理装置。
【請求項１４】
請求項１１または１２に記載の動画処理装置であって、
前記制御部は、前記第二再生パラメタ入力部により該第二の再生パラメタが入力された場合において、前記第二再生パラメタ入力部で入力した第二のパラメタの値が、前記第一再生パラメタ決定手段で決定した第一のパラメタの値と異なる場合には、前記重要シーンデータに記述されている各重要シーンの前、あるいは、後ろ、あるいは前後をカットして再生シーンの再生を行うように制御することを特徴とする動画処理装置。
【請求項１５】
動画処理装置であって、
動画データを入力する動画データ入力手段と、
該動画データにおけるシーンごとにランキングづけられたランキングデータを入力あるいは生成するランキングデータ入力／生成手段と、
該ランキングデータに基づいて重要シーンが記述されたデータを設定する重要シーンデータ生成手段と、
該重要シーンデータ生成手段により生成された該重要シーンデータに基づいて、該重要シーンデータの少なくとも一部を再生するための第一の再生パラメタを決定する第一再生パラメタ決定手段と、
該重要シーンデータの少なくとも一部を再生するための第二の再生パラメタを入力する第二再生パラメタ入力手段と、
該第二再生パラメタ入力手段により該第二の再生パラメタが入力された場合には、該第一再生パラメタ決定手段により決定された第一の再生パラメタより、該第二再生パラメタ入力手段により入力された第二の再生パラメタを優先的に使用するように制御する制御部を備えることを特徴とする動画処理装置であって、
前記第二の再生パラメタとして、前記重要シーンの再生時間を設定し、当該再生時間の制約に基づき、前記ランキングデータによるランキングによって重み付けを行って、再生すべき重要シーンを抽出することを特徴とする動画処理装置。
【請求項１６】
動画処理装置であって、
動画データを入力する動画データ入力手段と、
該動画データにおけるシーンごとにランキングづけられたランキングデータを入力あるいは生成するランキングデータ入力／生成手段と、
該ランキングデータに基づいて重要シーンが記述されたデータを設定する重要シーンデータ生成手段と、
該重要シーンデータ生成手段により生成された該重要シーンデータに基づいて、該重要シーンデータの少なくとも一部を再生するための第一の再生パラメタを決定する第一再生パラメタ決定手段と、
該重要シーンデータの少なくとも一部を再生するための第二の再生パラメタを入力する第二再生パラメタ入力手段と、
該第二再生パラメタ入力手段により該第二の再生パラメタが入力された場合には、該第一再生パラメタ決定手段により決定された第一の再生パラメタより、該第二再生パラメタ入力手段により入力された第二の再生パラメタを優先的に使用するように制御する制御部を備えることを特徴とする動画処理装置であって、
前記第二の再生パラメタとして、再生すべき前記重要シーンの動画データの全体の再生時間に対する割合を設定し、当該割合の制約に基づき、前記ランキングデータによるランキングによって重み付けを行って、再生すべき重要シーンを抽出することを特徴とする動画処理装置。